【手続補正書】
【提出日】平成28年11月29日(2016.11.29)
【手続補正１】
【補正対象書類名】明細書
【補正対象項目名】発明の名称
【補正方法】変更
【補正の内容】
【発明の名称】有機エレクトロルミネッセンスデバイス
【手続補正２】
【補正対象書類名】明細書
【補正対象項目名】０００１
【補正方法】変更
【補正の内容】
【０００１】
本発明は、有機エレクトロルミネッセンスデバイス（ＯＬＥＤ：Ｏｒｇａｎｉｃ  Ｌｉｇｈｔ  Ｅｍｉｔｔｉｎｇ  Ｄｅｖｉｃｅ）に関する。
【手続補正３】
【補正対象書類名】明細書
【補正対象項目名】０００７
【補正方法】変更
【補正の内容】
【０００７】
本発明は、上記問題に鑑みてなされたものであり、信頼性の高い有機エレクトロルミネッセンスデバイスを提供することを目的とする。
また、本発明は、汎用性を有する有機エレクトロルミネッセンスデバイスを提供することを目的とする。
【手続補正４】
【補正対象書類名】明細書
【補正対象項目名】０００８
【補正方法】変更
【補正の内容】
【０００８】
上記目的を達成するため、本発明の第１の観点に係る有機エレクトロルミネッセンスデバイスは、
基板上に、陽極、有機発光層を含む有機層、及び、陰極を有する、少なくとも一つの有機エレクトロルミネッセンス素子と、
前記基板上に設けられ、前記有機エレクトロルミネッセンス素子より膜厚が厚く、隣接する電極を分離するオーバーハング構造を有する一条の構造体と、
前記構造体の段差底部に設けられ、当該段差底部における断面形状を、その曲率半径が０.３μｍ〜前記構造体の厚さ未満となるように形成する被覆部と、
前記有機エレクトロルミネッセンス素子、前記構造体、及び、前記被覆部を被覆するパッシベーション膜と、を備え、
前記有機発光層および前記陰極は前記構造体により分離され、前記構造体の両側に前記有機エレクトロルミネッセンス素子が形成されている、ことを特徴とする。
本発明の第２の観点に係る有機エレクトロルミネッセンスデバイスは、
基板上に、陽極、有機発光層を含む有機層、及び、陰極を有する、少なくとも一つの有機エレクトロルミネッセンス素子と、
前記基板上に設けられ、前記有機エレクトロルミネッセンス素子より膜厚が厚く、隣接する電極を分離するオーバーハング構造を有する一条の構造体と、
前記構造体の段差底部に設けられ、当該段差底部における断面形状を、その曲率半径が０.３μｍ〜前記構造体の厚さ未満となるように形成する被覆部と、
前記有機エレクトロルミネッセンス素子、前記構造体、及び、前記被覆部を被覆するパッシベーション膜と、を備え、
前記被覆部は前記有機発光層から連続し、前記陰極は前記構造体により分離されている、ことを特徴とする。
前記有機エレクトロルミネッセンス素子の有機層は正孔輸送層または正孔注入層を有し、当該正孔輸送層または正孔注入層は蒸着法で成膜されていてもよい。
【手続補正５】
【補正対象書類名】明細書
【補正対象項目名】００１０
【補正方法】変更
【補正の内容】
【００１０】
前記被覆部は、例えば、前記有機エレクトロルミネッセンス素子を構成する材料である。
前記被覆部は、例えば、前記有機エレクトロルミネッセンス素子を構成する、加熱により流動する材料から構成されている。
前記被覆部は、例えば、前記有機エレクトロルミネッセンス素子の正孔輸送層または正孔注入層を構成する材料である。
前記被覆部は、例えば、前記有機エレクトロルミネッセンス素子を構成する、加熱により流動する電子注入層または電子輸送層である。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
本発明によれば、信頼性の高い有機エレクトロルミネッセンスデバイスを提供することができる。
【手続補正１１】
【補正対象書類名】特許請求の範囲
【補正対象項目名】全文
【補正方法】変更
【補正の内容】
【特許請求の範囲】
【請求項１】
基板上に、陽極、有機発光層を含む有機層、及び、陰極を有する、少なくとも一つの有機エレクトロルミネッセンス素子と、
前記基板上に設けられ、前記有機エレクトロルミネッセンス素子より膜厚が厚く、隣接する電極を分離するオーバーハング構造を有する一条の構造体と、
前記構造体の段差底部に設けられ、当該段差底部における断面形状を、その曲率半径が０.３μｍ〜前記構造体の厚さ未満となるように形成する被覆部と、
前記有機エレクトロルミネッセンス素子、前記構造体、及び、前記被覆部を被覆するパッシベーション膜と、を備え、
前記有機発光層および前記陰極は前記構造体により分離され、前記構造体の両側に前記有機エレクトロルミネッセンス素子が形成されている、ことを特徴とする有機エレクトロルミネッセンスデバイス。
【請求項２】
基板上に、陽極、有機発光層を含む有機層、及び、陰極を有する、少なくとも一つの有機エレクトロルミネッセンス素子と、
前記基板上に設けられ、前記有機エレクトロルミネッセンス素子より膜厚が厚く、隣接する電極を分離するオーバーハング構造を有する一条の構造体と、
前記構造体の段差底部に設けられ、当該段差底部における断面形状を、その曲率半径が０.３μｍ〜前記構造体の厚さ未満となるように形成する被覆部と、
前記有機エレクトロルミネッセンス素子、前記構造体、及び、前記被覆部を被覆するパッシベーション膜と、を備え、
前記被覆部は前記有機発光層から連続し、前記陰極は前記構造体により分離されている、ことを特徴とする有機エレクトロルミネッセンスデバイス。
【請求項３】
前記有機エレクトロルミネッセンス素子の有機層は正孔輸送層または正孔注入層を有し、当該正孔輸送層または正孔注入層は蒸着法で成膜されている、ことを特徴とする請求項１または２に記載の有機エレクトロルミネッセンスデバイス。
【請求項４】
前記有機エレクトロルミネッセンス素子を封止する封止板または封止フィルムをさらに備え、
前記有機エレクトロルミネッセンス素子と前記封止板または前記封止フィルムとの間に乾燥剤を充填して接着した充填封止構造、または、前記封止板または前記封止フィルムの全面を接着剤で接着した固体封止構造を有する、ことを特徴とする請求項１乃至３のいずれか１項に記載の有機エレクトロルミネッセンスデバイス。
【請求項５】
前記被覆部は、前記有機エレクトロルミネッセンス素子を構成する材料である、ことを特徴とする請求項１乃至４のいずれか１項に記載の有機エレクトロルミネッセンスデバイス。
【請求項６】
前記被覆部は、前記有機エレクトロルミネッセンス素子を構成する、加熱により流動する材料から構成されている、ことを特徴とする請求項１〜５のいずれか１項に記載の有機エレクトロルミネッセンスデバイス。
【請求項７】
前記被覆部は、前記有機エレクトロルミネッセンス素子の正孔輸送層または正孔注入層を構成する材料である、ことを特徴とする請求項１〜６のいずれか１項に記載の有機エレクトロルミネッセンスデバイス。
【請求項８】
前記被覆部は、前記有機エレクトロルミネッセンス素子を構成する、加熱により流動する電子注入層または電子輸送層である、ことを特徴とする請求項１〜６のいずれか１項に記載の有機エレクトロルミネッセンスデバイス。
【請求項９】
前記有機エレクトロルミネッセンスデバイスは、パッシブマトリクス型ディスプレイであり、
前記構造体は、カソードセパレーターであり、オーバーハング部を有し、
前記被覆部は、前記有機エレクトロルミネッセンス素子の正孔輸送層または正孔注入層を構成する材料である、ことを特徴とする請求項１〜６のいずれか１項に記載の有機エレクトロルミネッセンスデバイス。